(57)【要約】【課題】二つの以上の感知データを並列に処理することができるタッチスクリーン表示装置を提供する。【解決手段】タッチスクリーン表示装置は、第１スクリーン領域と第２スクリーン領域とを含むタッチスクリーンパネルと、第１領域と第２領域とで感知されたアナログデジタル感知信号をデジタル感知信号に変換するドライバ回路及びデジタル感知信号に基づいてタッチスクリーンパネルで一つのタッチポジションを検出するハイブリッドタッチスクリーンパネルコントローラを含む。【選択図】    図５
2008047125.tif 000002
【特許請求の範囲】
【請求項１】
第１スクリーン領域と第２スクリーンと領域を含み、前記第１スクリーン領域と前記第２スクリーン領域とでそれぞれタッチイベントが発生すると、第１及び第２アナログ感知信号を提供するタッチスクリーンパネルと、
前記第１アナログ感知信号と前記第２アナログ感知信号とをそれぞれ第１デジタル感知信号と第２デジタル感知信号とに変換する第１及び第２ドライバ回路を含むドライバ回路部と、
前記第１デジタル感知信号と前記第２デジタル感知信号とに基づいて前記タッチスクリーンパネルにおいて前記タッチイベントのいずれかに対する一つのタッチポジションを決定するハイブリッドタッチスクリーンパネルコントローラと、を含むことを特徴とする表示装置。
【請求項２】
前記第１アナログ感知信号及び前記第２アナログ感知信号は、前記タッチイベントが発生した前記タッチスクリーンパネルの地点とそれぞれ係わる電圧値であることを特徴とする請求項１に記載の表示装置。
【請求項３】
前記タッチスクリーンパネルは、
前記第１アナログ感知信号及び前記第２アナログ感知信号を前記ドライバ回路部に提供することを特徴とする請求項１に記載の表示装置。
【請求項４】
前記ハイブリッドタッチスクリーンパネルコントローラは、
前記第１デジタル感知データを保存するＬ＿フレームメモリ部と前記第２デジタル感知データを保存するＲ＿フレームメモリ部とを具備するフレームメモリ部と、
前記Ｌ＿フレームメモリに保存された前記第１デジタル感知データそれぞれを足して和を出力する第１Ｌ＿演算部及び前記Ｒ＿フレームメモリに保存された前記第２デジタル感知データそれぞれを足して和を出力する第１Ｒ＿演算部を具備する演算部と、
前記第１デジタル感知データの和を保存するＬ＿バッファメモリ部及び前記第２デジタル感知データの和を保存するＲ＿バッファメモリ部を具備するバッファメモリ部と、
前記バッファメモリ部に保存された値に基づいて前記一つのタッチポジションを決定するタッチポジション検出部と、を含むことを特徴とする請求項３に記載の表示装置。
【請求項５】
前記Ｌ＿フレームメモリ部は、第１、第２、第３Ｌ＿フレームメモリを含み、前記Ｒ＿フレームメモリ部は、第１、第２、第３Ｒ＿フレームメモリを含むことを特徴とする請求項４に記載の表示装置。
【請求項６】
前記第１Ｌ＿演算部は、前記第１乃至第３Ｌ＿フレームメモリに保存された前記第１デジタル感知データの値をそれぞれ足し、前記第１Ｒ＿演算部は、前記第１乃至第３Ｒ＿フレームメモリに保存された前記第２デジタル感知データの値をそれぞれ足すことを特徴とする請求項５に記載の表示装置。
【請求項７】
前記Ｌ＿バッファメモリ部は、第１乃至第７Ｌ＿バッファメモリを含み、前記Ｒ＿バッファメモリ部は、第１乃至第７Ｒ＿バッファメモリを含み、それぞれのバッファメモリには前記フレームのうち、第ｉ番目のフレーム、第ｉ＋１番目のフレーム、及び第ｉ＋２番目のフレームに該当する前記第１デジタル感知データ及び前記第２デジタル感知データの和がそれぞれ保存され、ここでｉは、１から７までの自然数であることを特徴とする請求項６に記載の表示装置。
【請求項８】
前記タッチポジション検出部は、
前記Ｌ＿バッファメモリ部に保存された値に基づいて前記第１スクリーン領域の第１タッチイベント発生可否を検出するＬ＿タッチイベント検出部と、
前記第１スクリーン領域の前記第１タッチイベントが発生した地点の座標を検出するＬ＿タッチポジション検出部と、
前記Ｒ＿バッファメモリ部に保存された値に基づいて前記第２スクリーン領域の第２タッチイベントの発生可否を検出するＲ＿タッチイベント検出部と、
前記第２スクリーン領域の前記第２タッチイベントが発生した地点の座標を検出するＲ＿タッチポジション検出部と、
前記Ｌ＿タッチイベント検出部の出力信号と前記Ｒ＿タッチイベント検出部の出力信号に基づいて前記第１スクリーン領域と前記第２スクリーン領域とで発生した前記第１及び第２タッチイベントのうち、いずれかを検出する最終タッチイベント検出部と、
前記Ｌ＿タッチポジション検出部の出力信号と前記Ｒ＿タッチポジション検出部の出力信号とに基づいて前記一つのタッチイベントに対する前記一つのタッチポジションの座標を検出する最終タッチポジション検出部と、を含むことを特徴とする請求項７に記載の表示装置。
【請求項９】
前記Ｌ＿タッチイベント検出部は、
前記第２乃至第７Ｌ＿バッファメモリに保存された前記第１デジタル感知データの和の値から前記第１Ｌ＿バッファメモリに保存された前記第１デジタル感知データの和の値を減算した結果の絶対値をそれぞれ出力する第２Ｌ＿演算部と、
前記減算した結果のそれぞれの絶対値と既保存の前の最大値とを比較して前記減算した結果の絶対値のうち、最大値であるＬ＿最大値を保存するＬ＿保存部を含み、
前記Ｒ＿タッチイベント検出部は、
前記第２乃至第７Ｒ＿バッファメモリに保存された前記第２デジタル感知データの和の値から前記第１Ｒ＿バッファメモリに保存された前記第２デジタル感知データの和の値を減算した結果の絶対値をそれぞれ出力する第２Ｒ＿演算部と、
前記減算した結果のそれぞれの絶対値と既保存の前の最大値とを比較して前記減算した結果の絶対値のうち、最大値であるＲ＿最大値を保存するＲ＿保存部と、を含むことを特徴とする請求項８に記載の表示装置。
【請求項１０】
前記Ｌ＿保存部は、
前記減算結果の絶対値と前記既保存の前の最大値とを比較してＬ＿選択信号を出力するＬ＿比較部と、
前記Ｌ＿選択信号に応答して前記減算結果の絶対値と前記既保存の前の最大値のうち、大きい値を出力する第１Ｌ＿ＭＵＸと、
前記第１Ｌ＿ＭＵＸの出力値を保存するＬ＿最大値レジスタとを含み、
前記Ｒ＿保存部は、
前記減算結果の絶対値と前記既保存の前の最大値とを比較してＲ＿選択信号を出力するＲ＿比較部と、
前記Ｒ＿選択信号に応答して前記減算結果の絶対値と前記既保存の前の最大値のうち、大きい値を出力する第１Ｒ＿ＭＵＸと、
前記第１Ｒ＿ＭＵＸの出力値を保存するＲ＿最大値レジスタと、を含むことを特徴とする請求項９に記載の表示装置。
【請求項１１】
前記Ｌ＿タッチポジション検出部は、
前記Ｌ＿選択信号に応答して前記第１領域の位置を示す第１ポジション信号または既保存の最大位置を示す値のうち、いずれかを選択する第２Ｒ＿ＭＵＸと、
前記第２Ｒ＿ＭＵＸの出力値を保存するＬ＿ポジションレジスタと、を含み、
前記Ｒ＿タッチポジション検出部は、
前記Ｒ＿選択信号に応答して前記第２領域の位置を示す第２ポジション信号または既保存の最大位置を示す値のうち、いずれかを選択する第２Ｒ＿ＭＵＸと、
前記第２Ｒ＿ＭＵＸの出力値を保存するＲ＿ポジションレジスタと、を含むことを特徴とする請求項１０に記載の表示装置。
【請求項１２】
前記最終タッチイベント検出部は、
前記Ｌ＿最大値レジスタと前記Ｒ＿最大値レジスタの出力を比較した結果である最終選択信号を出力する第１最終比較部と、
前記最終選択信号に応答して前記Ｌ＿最大値レジスタの出力と前記Ｒ＿最大値レジスタの出力のうち、いずれかを選択する最終ＭＵＸと、
前記最終ＭＵＸの出力と既保存の臨界値とを比較して大きい値を出力する第２最終比較部と、
前記第２最終比較部の出力を保存するＭａｘレジスタと、を含むことを特徴とする請求項１０に記載の表示装置。
【請求項１３】
前記臨界値は、前記タッチスクリーンパネルに外部からの接触発生の可否を判別する基準値になることを特徴とする請求項１２に記載の表示装置。
【請求項１４】
前記最終タッチポジション検出部は、
前記Ｍａｘレジスタの出力に応答して前記Ｌ＿ポジションレジスタの出力と前記Ｒ＿ポジションレジスタ出力のうち、いずれかを選択する最終ポジションＭＵＸと、
前記最終ポジションＭＵＸの出力を保存するポジションレジスタと、を含むことを特徴とする請求項１２に記載の表示装置。
【請求項１５】
複数のスクリーン領域を含み、前記複数のスクリーン領域でそれぞれタッチイベントが発生すると、複数のアナログ感知信号を提供するタッチスクリーンパネルと、
前記複数のアナログ感知信号をそれぞれ複数のデジタル感知信号に変換する複数のドライバ回路を含むドライバ回路部と、
前記複数のデジタル感知信号に基づいて前記タッチスクリーンパネルにおいて前記タッチイベント中のいずれか一つのタッチイベントに対する一つのタッチポジションを決定するマルチプルコントローラと、を含むことを特徴とする表示装置。
【請求項１６】
前記複数のアナログ感知信号は、前記複数のタッチイベントが発生した地点の電圧値であることを特徴とする請求項１５に記載の表示装置。
【請求項１７】
前記タッチスクリーンパネルは、
フレーム単位で前記複数のアナログ感知信号を提供することを特徴とする請求項１５に記載の表示装置。
【請求項１８】
第１スクリーン領域と第２スクリーン領域とを含むタッチスクリーンパネルから前記第１スクリーン領域と第２スクリーン領域とでそれぞれタッチイベントが発生すると、第１及び第２アナログ感知信号を提供する段階と、
前記第１アナログ感知信号と前記第２アナログ感知信号とをそれぞれ第１デジタル感知信号と第２デジタル感知信号とに変換する段階と、
前記第１デジタル感知信号と前記第２デジタル感知信号とに基づいて前記タッチスクリーンパネルで前記タッチイベントのうち、いずれのタッチイベントに対する一つのタッチポジションかを決定する段階と、を含むことを特徴とする表示装置の駆動方法。
【請求項１９】
前記第１アナログ感知信号及び前記第２アナログ感知信号は、前記タッチイベントが発生した地点の電圧値であることを特徴とする請求項１８に記載の駆動方法。
【請求項２０】
フレーム単位で前記タッチスクリーンパネルから提供される前記第１アナログ感知信号及び前記第２アナログ感知信号を提供する段階を更に含むことを特徴とする請求項１８に記載の表示装置の駆動方法。
【請求項２１】
前記一つのタッチポジションを決定する段階は、
前記第１デジタル感知データと前記第２デジタル感知データとをそれぞれＬ＿フレームメモリ部とＲ＿フレームメモリ部に保存する段階と、
前記Ｌ＿フレームメモリ部に保存された前記第１デジタル感知データそれぞれを足して和を出力し、前記Ｒ＿フレームメモリ部に保存された前記第２デジタル感知データそれぞれを足して和を出力する段階と、
前記第１デジタル感知データの和をＬ＿バッファメモリ部に保存し、前記第２デジタル感知データの和をＲ＿バッファメモリ部に保存する段階と、
前記保存された第１デジタル感知データの和と前記保存された第２デジタル感知データの和とに基づいて前記一つのタッチポジションを決定する段階と、を含むことを特徴とする請求項２０に記載の表示装置の駆動方法。
【請求項２２】
前記Ｌ＿フレームメモリ部は、第１、第２、第３Ｌ＿フレームメモリを含み、前記Ｒ＿フレームメモリ部は、第１、第２、第３、Ｒ＿フレームメモリを含むことを特徴とする請求項２１に記載の駆動方法。
【請求項２３】
前記Ｌ＿バッファメモリ部は、第１乃至第７Ｌ＿バッファメモリを含み、前記Ｒ＿バッファメモリ部は第１ないし第７Ｒ＿バッファメモリを含み、前記方法はそれぞれのバッファメモリに前記フレームのうち、第ｉ番目のフレーム、第ｉ＋１番目のフレーム及び第（ｉ＋２）番目のフレームに該当する前記第１デジタル感知データ及び前記第２デジタル感知データの和をそれぞれ保存する段階と、を含み、ｉは１〜７までの自然数であることを特徴とする請求項２１に記載の表示装置の駆動方法。
【請求項２４】
前記一つのタッチポジションを検出する段階は、
前記第２ないし第７Ｌ＿バッファメモリに保存された前記第１デジタル感知データの和の値から前記第１Ｌ＿バッファメモリに保存された前記第１デジタル感知データの和の値を減算した結果の絶対値をそれぞれ出力する段階と、
前記減算された結果のそれぞれの絶対値と既保存の前の最大値とを比較して前記減算した結果の絶対値のうち、最大値であるＬ＿最大値を保存する段階と、
前記第２乃至第７Ｒ＿バッファメモリに保存された前記第２デジタル感知データの和の値から前記第１Ｒ＿バッファメモリに保存された前記第２デジタルデータの和の値を減算した結果の絶対値をそれぞれ出力する段階と、
前記減算した結果のそれぞれの絶対値と既保存の前の最大値とを比較して前記減算した結果の絶対値のうち、最大値であるＲ＿最大値を保存する段階と、
前記保存されたＬ＿最大値と前記保存されたＲ＿最大値とを比較して大きい値を出力する段階と、
前記大きい値と既設定の臨界値とを比較して大きい値を出力する段階と、を含むことを特徴とする請求項２３に記載の表示装置の駆動方法。
【請求項２５】
前記臨界値に基づいて前記タッチスクリーンパネルに前記タッチイベントが発生したことを決定する段階を更に含むことを特徴とする請求項２４に記載の表示装置の駆動方法。
【発明の詳細な説明】
【技術分野】
【０００１】
本発明は、表示装置に係り、より詳細にはタッチスクリーン表示装置に関する。
【背景技術】
【０００２】
タッチスクリーン装置は、タッチスクリーンパネル上に指またはペンなどを接触して該当座標が認識されるようにするシステムである。
既存のタッチスクリーンシステムでは、一つのＤＤＩチップから伝送される感知データのみをコントローラが処理するので、二つ以上の感知データがコントローラに伝送される場合には使用不可能であった。既存のタッチスクリーンシステムにおいては、感知データを直列方式でコントローラに伝送して処理するため、パネルサイズと解像度が変更される場合には適用が不可能であった。また、タッチポジションの検出の際に不必要な領域のデータまで処理するので、パワー消費が増加していた。また、直列処理方式による計算時間の増加によってデータ処理時間が増加していた。
【０００３】
したがって、二つ以上の感知データを並列に処理しうるタッチスクリーンシステムが必要になった。
【発明の開示】
【発明が解決しようとする課題】
【０００４】
前記問題点を解決するための本発明の一目的は、二つの感知データを並列に処理しうるハイブリッドタッチスクリーンパネルコントローラを含むタッチスクリーン表示装置を提供することにある。
本発明の他の目的は、二つの感知データを並列に処理しうるハイブリッドタッチスクリーンパネルコントローラを含むタッチスクリーン表示装置の駆動方法を提供することにある。
本発明の更に他の目的は、複数の感知データを並列に処理しうるマルチプルコントローラを含むタッチスクリーン表示装置を提供することにある。
【課題を解決するための手段】
【０００５】
前記目的を達成するための本発明の一実施例による表示装置は、第１スクリーン領域と第２スクリーン領域とを含み、前記第１スクリーン領域と前記第２スクリーン領域とでそれぞれタッチイベントが発生すると、第１及び第２アナログ感知信号を提供するタッチスクリーンパネルと、前記第１アナログ感知信号と前記第２アナログ感知信号をそれぞれ第１デジタル感知信号と第２デジタル感知信号とに変換する第１及び第２ドライバ回路を含むドライバ回路部と、前記第１デジタル感知信号と前記第２デジタル感知信号とに基づいて前記タッチスクリーンパネルにおいて前記タッチイベントのいずれかに対する一つのタッチポジションを決定するハイブリッドタッチスクリーンパネルコントローラと、を含む。
【０００６】
前記第１アナログ感知信号及び前記第２アナログ感知信号は、前記タッチイベントが発生した前記タッチスクリーンパネルの地点とそれぞれ係わる電圧値であってもよい。前記タッチスクリーンパネルは、前記第１アナログ感知信号及び前記第２アナログ感知信号を前記ドライバ回路部に提供することができる。
【０００７】
前記ハイブリッドタッチスクリーンパネルコントローラは、前記第１デジタル感知データを保存するＬ＿フレームメモリ部と前記第２デジタル感知データを保存するＲ＿フレームメモリ部とを具備するフレームメモリ部と、前記Ｌ＿フレームメモリに保存された前記第１デジタル感知データそれぞれを足して和を出力する第１Ｌ＿演算部及び前記Ｒ＿フレームメモリに保存された前記第２デジタル感知データそれぞれを足して和を出力する第１Ｒ＿演算部を具備する演算部と、前記第１デジタル感知データの和を保存するＬ＿バッファメモリ部及び前記第２デジタル感知データの和を保存するＲ＿バッファメモリ部を具備するバッファメモリ部と、前記バッファメモリ部に保存された値に基づいて前記一つのタッチポジションを決定するタッチポジション検出部と、を含む。
【０００８】
前記Ｌ＿フレームメモリ部は、第１、第２、第３Ｌ＿フレームメモリを含み、前記Ｒ＿フレームメモリ部は、第１、第２、第３Ｒ＿フレームメモリを含むことができる。前記第１Ｌ＿演算部は、前記第１乃至第３Ｌ＿フレームメモリに保存された前記第１デジタル感知データの値をそれぞれ足し、前記第１Ｒ＿演算部は、前記第１乃至第３Ｒ＿フレームメモリに保存された前記第２デジタル感知データの値をそれぞれ足すことができる。前記Ｌ＿バッファメモリ部は、第１乃至第７Ｌ＿バッファメモリを含み、前記Ｒ＿バッファメモリ部は、第１乃至第７Ｒ＿バッファメモリを含み、それぞれのバッファメモリには前記フレームのうち、第ｉ番目のフレーム、第ｉ＋１番目フレーム、及び第ｉ＋２番目のフレームに該当する前記第１デジタル感知データ及び前記第２デジタル感知データの和がそれぞれ保存され、ここでｉは、１から７までの自然数である。
【０００９】
前記タッチポジション検出部は、前記Ｌ＿バッファメモリ部に保存された値に基づいて前記第１スクリーン領域の第１タッチイベント発生可否を検出するＬ＿タッチイベント検出部と、前記第１スクリーン領域の前記第１タッチイベントが発生した地点の座標を検出するＬ＿タッチポジション検出部と、前記Ｒ＿バッファメモリ部に保存された値に基づいて前記第２スクリーン領域の第２タッチイベントの発生可否を検出するＲ＿タッチイベント検出部と、前記第２スクリーン領域の前記第２タッチイベントが発生した地点の座標を検出するＲ＿タッチポジション検出部と、前記Ｌ＿タッチイベント検出部の出力信号と前記Ｒ＿タッチイベント検出部の出力信号とに基づいて前記第１スクリーン領域と前記第２スクリーン領域とで発生した前記第１及び第２タッチイベントのうち、いずれかを検出する最終タッチイベント検出部と、前記Ｌ＿タッチポジション検出部の出力信号と前記Ｒ＿タッチポジション検出部の出力信号とに基づいて前記一つのタッチイベントに対する前記一つのタッチポジションの座標を検出する最終タッチポジション検出部と、を含む。
【００１０】
前記Ｌ＿タッチイベント検出部は、前記第２乃至第７Ｌ＿バッファメモリに保存された前記第１デジタル感知データの和の値から前記第１Ｌ＿バッファメモリに保存された前記第１デジタル感知データの和の値を減算した結果の絶対値をそれぞれ出力する第２Ｌ＿演算部と、前記減算した結果のそれぞれの絶対値と既保存の前の最大値とを比較して前記減算した結果の絶対値のうち、最大値であるＬ＿最大値を保存するＬ＿保存部を含み、前記Ｒ＿タッチイベント検出部は、前記第２乃至第７Ｒ＿バッファメモリに保存された前記第２デジタル感知データの和の値から前記第１Ｒ＿バッファメモリに保存された前記第２デジタル感知データの和の値を減算した結果の絶対値をそれぞれ出力する第２Ｒ＿演算部と、前記減算した結果のそれぞれの絶対値と既保存の前の最大値とを比較して前記減算した結果の絶対値のうち、最大値であるＲ＿最大値を保存するＲ＿保存部と、を含む。
【００１１】
前記Ｌ＿保存部は、前記減算結果の絶対値と前記既保存の前の最大値とを比較してＬ＿選択信号を出力するＬ＿比較部と、前記Ｌ＿選択信号に応答して前記減算結果の絶対値と前記既保存の前の最大値のうち、大きい値を出力する第１Ｌ＿ＭＵＸと、前記第１Ｌ＿ＭＵＸの出力値を保存するＬ＿最大値レジスタとを含み、
前記Ｒ＿保存部は、前記減算結果の絶対値と前記既保存の前の最大値とを比較してＲ＿選択信号を出力するＲ＿比較部と、前記Ｒ＿選択信号に応答して前記減算結果の絶対値と前記既保存の前の最大値のうち、大きい値を出力する第１Ｒ＿ＭＵＸと、前記第１Ｒ＿ＭＵＸの出力値を保存するＲ＿最大値レジスタと、を含む。
【００１２】
前記Ｌ＿タッチポジション検出部は、前記Ｌ＿選択信号に応答して前記第１領域の位置を示す第１ポジション信号または既保存の最大位置を示す値のうち、いずれかを選択する第２Ｌ＿ＭＵＸと、前記第２Ｌ＿ＭＵＸの出力値を保存するＬ＿ポジションレジスタと、を含む。前記Ｒ＿タッチポジション検出部は、前記Ｒ＿選択信号に応答して前記第２領域の位置を示す第２ポジション信号または既保存の最大位置を示す値のうち、いずれかを選択する第２Ｒ＿ＭＵＸと、前記第２Ｒ＿ＭＵＸの出力値を保存するＲ＿ポジションレジスタと、を含む。
【００１３】
前記最終タッチイベント検出部は、前記Ｌ＿最大値レジスタと前記Ｒ＿最大値レジスタの出力を比較した結果である最終選択信号を出力する第１最終比較部と、前記最終選択信号に応答して前記Ｌ＿最大値レジスタの出力と前記Ｒ＿最大値レジスタの出力のうち、いずれかを選択する最終ＭＵＸと、前記最終ＭＵＸの出力と既保存の臨界値とを比較して大きい値を出力する第２最終比較部と、前記第２最終比較部の出力を保存するＭａｘレジスタと、を含む。前記臨界値は、前記タッチスクリーンパネルに外部からの接触発生の可否を判別する基準値であることができる。
【００１４】
前記最終タッチポジション検出部は、前記Ｍａｘレジスタの出力に応答して前記Ｌ＿ポジションレジスタの出力と前記Ｒ＿ポジションレジスタ出力のうち、いずれかを選択する最終ポジションＭＵＸと、前記最終ポジションＭＵＸの出力を保存するポジションレジスタと、を含む。
【００１５】
本発明の一実施例によるマルチプルコントローラを含む表示装置は、複数のスクリーン領域を含み、前記複数のスクリーン領域でそれぞれタッチイベントが発生すると、複数のアナログ感知信号を提供するタッチスクリーンパネルと、前記複数のアナログ感知信号をそれぞれ複数のデジタル感知信号に変換する複数のドライバ回路を含むドライバ回路部と、前記複数のデジタル感知信号に基づいて前記タッチスクリーンパネルにおいて前記タッチイベント中のいずれか一つのタッチイベントに対する一つのタッチポジションを決定するマルチプルコントローラと、を含む。
【００１６】
本発明の一実施例による表示装置の駆動方法は、第１スクリーン領域と第２スクリーン領域とを含むタッチスクリーンパネルから前記第１スクリーン領域と第２スクリーン領域とでそれぞれタッチイベントが発生すると、第１及び第２アナログ感知信号を提供する段階と、前記第１アナログ感知信号と前記第２アナログ感知信号とをそれぞれ第１デジタル感知信号と第２デジタル感知信号とに変換する段階と、前記第１デジタル感知信号と前記第２デジタル感知信号とに基づいて前記タッチスクリーンパネルで前記タッチイベントのうち、いずれのタッチイベントに対する一つのタッチポジションかを決定する段階と、を含む。
【００１７】
前記一つのタッチポジションを決定する段階は、前記第１デジタル感知データと前記第２デジタル感知データとをそれぞれＬ＿フレームメモリ部とＲ＿フレームメモリ部に保存する段階と、前記Ｌ＿フレームメモリ部に保存された前記第１デジタル感知データそれぞれを足して和を出力し、前記Ｒ＿フレームメモリ部に保存された前記第２デジタル感知データそれぞれを足して和を出力する段階と、前記第１デジタル感知データの和をＬ＿バッファメモリ部に保存し、前記第２デジタル感知データの和をＲ＿バッファメモリ部に保存する段階と、前記保存された第１デジタル感知データの和と前記保存された第２デジタル感知データとの和に基づいて前記一つのタッチポジションを決定する段階と、を含むことができる。前記Ｌ＿フレームメモリ部は、第１、第２、第３Ｌ＿フレームメモリを含み、前記Ｒ＿フレームメモリ部は、第１、第２、第３、Ｒ＿フレームメモリを更に含むことができる。前記Ｌ＿バッファメモリ部は、第１ないし第７Ｌ＿バッファメモリを含み、前記Ｒ＿バッファメモリ部は第１ないし第７Ｒ＿バッファメモリを含み、前記方法はそれぞれのバッファメモリに前記フレームのうち、第ｉ番目のフレーム、第ｉ＋１番目のフレーム及び第（ｉ＋２）番目のフレームに該当する前記第１デジタル感知データ及び前記第２デジタル感知データの和をそれぞれ保存する段階と、を含み、ｉは１〜７までの自然数である。
【００１８】
前記一つのタッチポジションを検出する段階は、前記第２ないし第７Ｌ＿バッファメモリに保存された前記第１デジタル感知データの和の値から前記第１Ｌ＿バッファメモリに保存された前記第１デジタル感知データの和の値を減算した結果の絶対値をそれぞれ出力する段階と、前記減算された結果のそれぞれの絶対値と既保存の前の最大値とを比較して前記減算した結果の絶対値のうち、最大値であるＬ＿最大値を保存する段階と、前記第２ないし第７Ｒ＿バッファメモリに保存された前記第２デジタル感知データの和の値から前記第１Ｒ＿バッファメモリに保存された前記第２デジタルデータの和の値を減算した結果の絶対値をそれぞれ出力する段階と、前記減算した結果のそれぞれの絶対値と既保存の前の最大値とを比較して前記減算した結果の絶対値のうち、最大値であるＲ＿最大値を保存する段階と、前記保存されたＬ＿最大値と前記保存されたＲ＿最大値とを比較して大きい値を出力する段階と、前記大きい値と既に設定された臨界値とを比較して大きい値を出力する段階と、を含むことができる。
【発明の効果】
【００１９】
前述したように、本発明の一実施例によるハイブリッドタッチスクリーンパネルコントローラを含むタッチスクリーン表示装置及び駆動方法は二つのドライバ回路によって変換された二つのデジタル感知データをハイブリッドタッチスクリーンパネルコントローラを用いて並列に処理してタッチポジションを検出する。並列処理によるので、計算時間を短縮することができ、タッチスクリーン機能を領域別に分けてタッチポジションを検出するので、パワーの消費を最適化することができ、パネルサイズと解像度が変更される場合にも適用可能である。
【発明を実施するための最良の形態】
【００２０】
以下、添付する図面を参照して本発明の望ましい実施例をより詳細に説明する。図面上の同一の構成要素に対しては同一の参照符号を付与し、同一の構成要素に対して重複された説明は省略する。
【００２１】
図１は、本発明の一実施例によるタッチスクリーン表示装置のブロック図である。
図１を参照すると、本発明の一実施例によるタッチスクリーン表示装置は、タッチスクリーンパネル１３０、ドライバ回路（１４０、１５０）を含むドライバ回路部１３５及びハイブリッドタッチスクリーンパネルコントローラ２００を含む。
【００２２】
タッチスクリーンパネル１３０は、共通電極を有する基板と画素電極を有する基板とで構成され、基板の間には液晶が注入される。液晶パネル１３０は、液晶に電界を印加し、この電界の強さを調節することで基板に透過される光の量を調節して画像信号を表示する。タッチスクリーンパネルは、第１領域１１０と第２領域１２０とに分ける。
【００２３】
タッチスクリーンパネル１３０の一側基板には、行方向に複数の横軸センサ（Ｙ１〜Ｙｍ）と列方向に複数の縦軸センサ（Ｘ１〜Ｘ２ｎ）が一定間隔を有して配列される。第１領域１１０には、縦軸センサ（Ｘ１〜Ｘｎ）が配列され、第２領域１２０には縦軸センサ（Ｘｎ＋１〜Ｘ２ｎ）が配列される。もちろん、このような配列は、いくらでも変えることができる。液晶パネル１３０のセンサ（Ｘ１〜Ｘ２ｎ、Ｙ１〜Ｙｍ）は、ぺン１７０または指によって押された地点を感知する。センサ（Ｘ１〜Ｘｎ、Ｙ１〜Ｙｍ）は、フレームユニット１６０によって電圧値に変換された第１アナログ感知信号（ＡＳＤ１）をドライバ回路１４０に提供する。センサ（Ｘｎ＋１〜Ｘ２ｎ、Ｙ１〜Ｙｍ）は、フレームユニット１８０によって電圧値に変換された第２アナログ感知信号（ＡＳＤ２）をドライバ回路１６０に提供する。
【００２４】
ドライバ回路（１４０、１５０）は、液晶パネル１３０に画像データ（ＩＤ１、ＩＤ２）を提供する。ドライバ回路（１４０、１５０）は、液晶パネル１３０から第１アナログ感知信号（ＡＤＳ１）と第２アナログ感知信号（ＡＳＤ２）との提供を受け、それぞれ第１デジタル画像信号（ＤＳＤ１）と第２デジタル画像信号（ＤＳＤ２）とに変換する。ドライバ回路（１４０、１５０）は、第１デジタル画像信号（ＤＳＤ１）と第２デジタル画像信号（ＤＳＤ２）とをハイブリッドタッチスクリーンパネルコントローラ２００に提供する。
【００２５】
ハイブリッドタッチスクリーンパネルコントローラ２００は、提供を受けた第１デジタル画像信号（ＤＳＤ１）と第２デジタル画像信号（ＤＳＤ２）とに基づいて一つのタッチイベントと一つのタッチイベントが発生したタッチポジションとを検出する。
【００２６】
図２は、図１に示したハイブリッドタッチスクリーンパネルコントローラ２００の具体的な構成を示すブロック図である。
図２を参照すると、ハイブリッドタッチスクリーンパネルコントローラ２００は、フレームメモリ部２１０、演算部２４０、バッファメモリ部２５０、及びタッチポジション検出部３００を含む。
【００２７】
フレームメモリ部２１０は、Ｌ＿フレームメモリ部２２０とＲ＿フレームメモリ部２３０とで構成される。Ｌ＿フレームメモリ部２２０は、第１乃至第３Ｌ＿フレームメモリ（２１６、２１７、２１８）で構成される。Ｒ＿フレームメモリ部２３０もまたＬ＿フレームメモリ２２０と同一の構成を有する。Ｌ＿フレームメモリ部２２０は、第１ドライバ回路１４０から提供された第１デジタル感知信号をフレーム単位で保存する。例えば、第１Ｌ＿フレームメモリ２１６には第１フレームに対する液晶パネル１３０の第１領域１１０の横軸センサ（Ｙ１〜Ｙｍ）と縦軸センサ（Ｘ１〜Ｘｎ）とで感知した電圧値を第１ドライバ回路１４０でデジタル値に変換した第１デジタル感知データ（ＤＳＤ１）の値が保存される。同様に、第１Ｒ＿フレームメモリ（図示せず）には第１フレームに対する液晶パネル１３０の第２領域１２０の横軸センサ（Ｙ１〜Ｙｍ）と縦軸センサ（Ｘｎ＋１〜Ｘ２ｎ）とで感知した電圧値を第２ドライバ回路１５０でデジタル値に変換した第２デジタル感知データ（ＤＳＤ２）の値が保存される。
【００２８】
図３は、図２のフレームメモリ部２１０に保存される第１デジタル感知データを示す。
図３を参照すると、第１Ｌ＿フレームメモリ２１６には第１フレームに対するｎ個の縦軸センサ（Ｘ１〜Ｘｎ）で感知した値（Ｘ１＿ＤＡＴＡ＿１〜Ｘｎ＿ＤＡＴＡ＿１）とｍ個の縦軸センサ（Ｙ１〜Ｙｍ）で感知された値（Ｙ１＿ＤＡＴＡ＿１〜Ｙｍ＿ＤＡＴＡ＿１）とが全て保存される。同様に、第２Ｌ＿フレームメモリ２１７には、第２フレームに対する第１デジタルセンサデータの値（Ｘ１＿ＤＡＴＡ＿２〜Ｘｎ＿ＤＡＴＡ＿２、Ｙ１＿ＤＡＴＡ＿２〜Ｙｍ＿ＤＡＴＡ＿２）が保存され、第３Ｌ−フレームメモリ２１８には第３フレームに対する第１デジタルセンサデータの値（Ｘ１＿ＤＡＴＡ＿３〜Ｘｎ＿ＤＡＴＡ＿３、Ｙ１＿ＤＡＴＡ＿３〜Ｙｍ＿ＤＡＴＡ＿３）が保存される。Ｒ＿フレーム２３０のメモリ部にはｎ個の横軸センサ（Ｘｎ＋１〜Ｘ２ｎ）とｍ個の横軸センサ（Ｙ１〜Ｙｍ）とで感知された値である第２デジタル感知データに該当する値がフレーム単位で保存されるので、これについての説明は省略する。
【００２９】
Ｌ＿フレームメモリ２２０に第１乃至第３フレームに対する第１デジタル感知データの保存が完了すると、第１Ｌ＿フレームメモリ２１６には第４フレームに対する第１デジタルセンサデータが保存され、第２Ｌ＿フレームメモリと第３Ｌ＿フレームメモリとには第５及び第６フレームに対する第１デジタル感知データが保存される。同様に、Ｌ＿フレームメモリ２１０に第４乃至第６フレームに対する第１デジタルセンサデータの保存が完了すると、第１Ｌ＿フレーム２１６には第７フレームに対する第１デジタルセンサデータが保存され、第２Ｌ＿フレームメモリと第３Ｌ＿フレームメモリとには第８及び第９フレームに対する第１デジタル感知データ保存される。
【００３０】
ここで、Ｒ＿フレームメモリ２３０には、第２デジタル感知データがフレーム単位で第１デジタル感知データの保存と同時に同様の課程で保存される。
第１Ｌ＿演算部２４２は、第１乃至第３Ｌ＿フレームメモリ（２１６、２１７、２１８）に保存された第１デジタルセンサデータ値をセンサ単位で足した結果を出力する。例えば、第１Ｌ＿演算部２４２は、第１Ｌ＿フレームメモリ２１６に保存された第１フレームに対する第１縦軸センサ（Ｘ１）で感知されたデータ（Ｘ１＿ＤＡＴＡ＿１）と第２Ｌ＿フレームメモリ２１７に保存された第２フレームに対する第１縦軸センサ（Ｘ１）で感知されたデータ（Ｘ１＿ＤＡＴＡ＿２）、及び第３Ｌ＿フレームメモリ２１８に保存された第３フレームに対する第１縦軸センサ（Ｘ１）で感知されたデータ（Ｘ１＿ＤＡＴＡ＿３）を足してその結果値（Ｓｕｍ＿Ｘ１＿１）を出力する。同様に、第１Ｌ＿演算部は、第１乃至第３Ｌ＿フレームメモリ（２１６、２１７、２１８）に保存された第１乃至第３フレームに対する第１デジタル感知データ値をセンサ単位で足してその結果値（Ｓｕｍ＿Ｘ１＿１〜Ｓｕｍ＿Ｘｎ＿１、Ｓｕｍ＿Ｙ１＿１〜Ｓｕｍ＿Ｙｍ＿１）をＬ＿バッファメモリ２６０に出力する。第１Ｌ＿演算部２４２の動作と並列に第１Ｒ＿演算部２４４は、Ｒ＿フレームメモリ２３０に保存された第１乃至第３フレームに対する第２デジタル感知データの値をセンサ単位に足してその結果値（Ｓｕｍ＿Ｘｎ＋１＿１〜Ｓｕｍ＿Ｘｎ＋１＿１、Ｓｕｍ＿Ｙ１＿１〜Ｓｕｍ＿Ｙｍ＿１）をＲ＿バッファメモリ２７０に出力する。
【００３１】
図４は、図２に示したＬ＿バッファメモリ部２６０に保存されるデータを示す。
図４を参照すると、Ｌ＿バッファメモリ部２６０は、第１乃至第７Ｌ＿バッファメモリ（２６１〜２６７）で構成される。
【００３２】
第１Ｌ＿バッファメモリ２６１には、第１Ｌ＿演算部２４２から出力される第１乃至第３フレームに対するセンサ単位の和の値（Ｓｕｍ＿Ｘ１＿１〜Ｓｕｍ＿Ｘｎ＿１、Ｓｕｍ＿Ｙ１＿１〜Ｓｕｍ＿Ｙｍ＿１）が保存され、第２Ｌ＿バッファメモリ２６２には第２乃至第４フレームに対するセンサ単位の和の値（Ｓｕｍ＿Ｘ１＿２〜Ｓｕｍ＿Ｘｎ＿２、Ｓｕｍ＿Ｙ１＿１〜Ｓｕｍ＿Ｙｍ＿２）が保存される。このように、第３乃至第６Ｌ＿バッファメモリ（２６３、２６４、２６５、２６６）それぞれには該当するセンサ単位の和の値が保存される。第７Ｌ＿バッファメモリ２６７には、第７乃至第９フレームに対するセンサ単位の和の値（Ｓｕｍ＿Ｘ１＿７〜Ｓｕｍ＿Ｘｎ＿７、Ｓｕｍ＿Ｙ１＿７〜Ｓｕｍ＿Ｙｍ＿７）が保存される。同様に、Ｒ＿バッファメモリ部２７０には、第１乃至第３フレームに対するセンサ単位の和の値（Ｓｕｍ＿Ｘｎ＋１＿１〜Ｓｕｍ＿Ｘ２ｎ＿１、Ｓｕｍ＿Ｙ１＿１〜Ｓｕｍ＿Ｙｍ＿１）から第７乃至第９フレームに対するセンサ単位の和の値（Ｓｕｍ＿Ｘｎ＋１＿７〜Ｓｕｍ＿Ｘ２ｎ＿７、Ｓｕｍ＿Ｙ１＿７〜Ｓｕｍ＿Ｙｍ＿７）が保存される。この課程は、Ｌ＿バッファメモリの動作と並列に行われる。
【００３３】
図５は、図２のタッチポジション検出部３００の具体的な構成を示すブロック図である。
図５を参照すると、タッチポジション検出部３００、Ｌ＿タッチイベント検出部３１０、Ｌ＿タッチポジション検出部３３０、Ｒ＿タッチイベント検出部３５０、Ｒ＿タッチポジション検出部３７０、最終タッチイベント検出部３８０、及び最終タッチポジション検出部３９０を含む。
【００３４】
Ｌ＿タッチイベント検出部３１０は、Ｌ＿バッファメモリ部２６０に保存された値に基づいて第１スクリーン領域１１０のタッチイベント発生可否を検出する。Ｌ＿タッチポジション検出部３３０は、第１スクリーン領域１１０のタッチイベントが発生した地点の座標を検出する。
【００３５】
Ｒ＿タッチイベント検出部３７０は、Ｒ＿バッファメモリ部２７０に保存された値に基づいて第２スクリーン領域１２０のタッチイベントの発生可否を検出する。Ｒ＿タッチポジション検出部３７０は、第２スクリーン領域１２０のタッチイベントが発生した地点の座標を検出する。
【００３６】
最終タッチイベント検出部３８０は、Ｌ＿タッチイベント検出部３１０の出力信号とＲ＿タッチイベント検出部３５０の出力信号とに基づいて第１スクリーン領域１１０と第２スクリーン領域１２０とで発生したタッチイベントのうち、いずれか一つのタッチイベントを検出する。最終タッチポジション検出部３９０は、Ｌ＿タッチポジション検出部３３０の出力信号と前記Ｒ＿タッチポジション検出部３７０の出力信号とに基づいて一つのタッチポジションの座標を検出する。
【００３７】
Ｌ＿タッチイベント検出部３１０は、第２Ｌ＿演算部３１２とＬ＿保存部３２０とで構成される。Ｌ＿保存部３２０は、Ｌ＿比較部３２２、第１Ｌ＿ＭＵＸ３２４、及びＬ＿ＭＵＸレジスタ３２６を含む。Ｌ＿タッチポジション検出部３３０は、第２Ｌ＿ＭＵＸ３３２、及びＬ＿ポジションレジスタ３３４を含む。
【００３８】
Ｒ＿タッチイベント検出部３５０は、第２Ｒ＿演算部３５２とＲ＿保存部３６０とで構成される。Ｒ＿保存部３６０は、Ｒ＿比較部３６２、第１Ｒ＿ＭＵＸ３６４、及びＲ＿ＭＡＸレジスタ３６６を含む。Ｒ＿タッチポジション検出部３７０は、第２Ｒ＿ＭＵＸ３７２及びＲ＿ポジションレジスタ３７４を含む。
【００３９】
図６は、図５に示した第２Ｌ＿演算部３１２で演算されるデータを示す。
図６を参照すると、第２Ｌ＿演算部３１２は、第１Ｌ＿バッファメモリ２６１に保存された値（Ｌ＿ＯＢ）と第２ないし第７バッファメモリ（２６２〜２６７）に保存された値（Ｌ＿ＬＢ＿）との差の絶対値を演算する。第２Ｌ＿演算部３１２は、第１Ｌ＿バッファメモリに保存された値（Ｌ＿ＯＢ）と第２乃至第７バッファメモリ（３３２〜３３７）に保存された値（Ｌ＿ＬＢ＿）との差の絶対値を演算することで、第１デジタル感知データの増加分と減少分の両方を考えて第１領域１１０で発生したタッチイベントを検出する。
【００４０】
Ｌ＿比較部３２２は、第２Ｌ＿演算部３１２から出力された差の絶対値（Ｌ＿Ｄｉｆｆ）とＬ＿ＭＡＸレジスタ３２６から提供された最大差値（Ｌ＿Ｍａｘ＿Ｄｉｆｆ）とを比較してＬ＿選択信号（Ｌ＿ＳＥＬ）を出力する。第１＿ＭＵＸ３２４は、Ｌ＿選択信号（Ｌ＿ＳＥＬ）に応答して絶対値（Ｌ＿Ｄｉｆｆ）と最大差値（Ｌ＿Ｍａｘ＿Ｄｉｆｆ）とを比較して大きい値を出力する。Ｌ＿ＭＡＸレジスタ３２６は、第１Ｌ＿ＭＵＸ３２４から提供された更に大きい値を保存する。
【００４１】
第２Ｌ＿ＭＵＸ３３２は、第１領域１１０の位置を示すＬ＿ＬＩＮＥ  ＣＮＴ信号とＬ＿ポジションレジスタ３３４に既保存の最大位置を示す値のうち、大きい値をＬ＿選択信号（Ｌ＿ＳＥＬ）に応答して選択する。Ｌ＿ポジションレジスタ３３４は第２Ｌ＿ＭＵＸ３３０から提供された値を保存する。
【００４２】
第２Ｒ＿演算部３５２、Ｒ＿比較部３６２、第１Ｒ＿ＭＵＸ３６４、第２Ｒ＿ＭＵＸ３７２、Ｒ＿ＭＡＸレジスタ３６６、及びＲ＿ポジションレジスタ３７４の動作は、それぞれ第２Ｌ＿演算部３１２、Ｌ＿比較部３２２、第１Ｌ＿ＭＵＸ３２４、第２Ｌ＿ＭＵＸ３３２、Ｌ＿ＭＡＸレジスタ３２６、及びＬ＿ポジションレジスタ３３４の動作と並列に発生し類似であるので、これについての説明は省略する。ただし、Ｒ＿比較部３６２は、Ｒ＿選択信号（Ｒ＿ＳＥＬ）を出力し、Ｒ＿ＭＡＸレジスタ３６６は、最大差値（Ｒ＿Ｍａｘ＿Ｄｉｆｆ）を保存する。
【００４３】
図７は、図５の最終タッチイベント検出部３８０の具体的な構成を示すブロック図である。
図７を参照すると、最終タッチイベント検出部３８０は、第１最終比較部３８２、最終ＭＵＸ３８４、第２最終比較部３８６、及びＭＡＸレジスタ３８８を含む。
【００４４】
第１最終比較部３８２、最大差値（Ｌ＿Ｍａｘ＿Ｄｉｆｆ）と最大差値（Ｒ＿Ｍａｘ＿Ｄｉｆｆ）とを比較して最終選択信号を出力する。最終ＭＵＸ３８４は、最終選択信号に応答して最大差値（Ｌ＿Ｍａｘ＿Ｄｉｆｆ）と最大差値（Ｒ＿Ｍａｘ＿Ｄｉｆｆ）のうち、大きい値を選択して出力する。第２最終比較部３８６は、最終ＭＵＸ３８４の出力と既保存の臨界値とを比較して大きい値を出力する。
臨界値は、タッチスクリーンパネル１３０に外部からの接触発生の可否を判別する基準値になる。最終ＭＵＸ３８４の出力が臨界値より大きいと、タッチスクリーンパネル１３０にタッチイベントが発生したことを示す。ＭＡＸレジスタ３８８は、第２最終比較部３８６の出力を保存する。
【００４５】
再度、図５を参照すると、最終タッチポジション検出部３９０は、最終ポジションＭＵＸ３９２及びポジションレジスタ３９４を含む。
最終ポジションＭＵＸ３９２は、ＭＡＸレジスタ３８８の出力に応答してＬ＿ポジションレジスタ３３４の出力またはＲ＿ポジションレジスタ３７４の出力からいずれかを選択する。ポジションレジスタ３９４は、最終ポジションＭＵＸ３９２の出力を保存する。ポジションレジスタ３９２に保存される値がタッチイベントが発生したタッチポジションの座標を示す。
【００４６】
図８は、本発明の一実施例によるマルチプルコントローラを含む表示装置を示すブロック図である。
図８を参照すると、本発明の一実施例によるマルチプルコントローラを含む表示装置８００は、複数のスクリーン領域（８１０、８２０、８３０、８４０）を含むタッチスクリーンパネル８１０、複数のドライバ回路（８６０、８７０、８８０、８９０）を含むドライバ回路部８４５、及びマルチプルコントローラ９００を含む。
【００４７】
タッチスクリーンパネル８１０の一側基板には行方向に複数の横軸センサ（Ｙ１〜Ｙｍ）と列方向に複数の縦軸センサ（Ｘ１〜Ｘ２ｎ）とが一定間隔を有して配列される。各領域のセンサ（Ｘ１〜Ｘ２ｎ、Ｙ１〜Ｙｍ）はペン８９５または指によって押された地点を感知する。センサ（Ｘ１〜Ｘ２ｎ、Ｙ１〜Ｙｍ）は、フレームユニット（８５５、８５６、８５７、８５８）によって電圧値に変換された複数のアナログ感知信号（ＡＳＤ１〜ＡＳＤ４）をそれぞれドライバ回路（８６０、８７０、８８０、８９０）に提供する。ドライバ回路（８６０、８７０、８８０、８９０）は複数のアナログ感知信号（ＡＳＤ１〜ＡＳＤ４）をそれぞれ複数のデジタル感知信号（ＤＳＤ１〜ＤＳＤ４）に変換してマルチプルコントローラ９００に提供する。マルチプルコントローラ９００は、複数のデジタル感知信号（ＤＳＤ１〜ＤＳＤ４）を並列処理してタッチイベントとタッチイベントとが発生したタッチポジションを検出する。
【００４８】
以上、本発明の実施例によって詳細に説明したが、本発明はこれに限定されず、本発明が属する技術分野において通常の知識を有するものであれば本発明の思想と精神を離脱することなく、本発明を修正または変更できる。
【図面の簡単な説明】
【００４９】
【図１】本発明の一実施例によるタッチスクリーン表示装置のブロック図である。
【図２】図１に示したハイブリッドタッチスクリーンパネルコントローラの具体的な構成を示すブロック図である。
【図３】図２のＬ＿フレームメモリに保存される第１デジタル感知データを示す。
【図４】図２に示したＬ＿バッファメモリに保存されるデータを示す。
【図５】図２のタッチポジション検出部の具体的な構成を示すブロック図である。
【図６】図５に示した第１Ｌ＿演算部で演算されるデータを示す。
【図７】図５の最終タッチイベント検出部の具体的な構成を示すブロック図である。
【図８】本発明の一実施例によるマルチプルコントローラを含む表示装置を示すブロック図である。
【符号の説明】
【００５０】
１１０    第１領域
１２０    第２領域
１３０    タッチスクリーンパネル
１３５    ドライバ回路部
１４０、１５０    ドライバ回路
２００    ハイブリッドタッチスクリーンパネルコントローラ
【図１】
2008047125.tif 000003
【図２】
2008047125.tif 000004
【図３】
2008047125.tif 000005
【図４】
2008047125.tif 000006
【図５】
2008047125.tif 000007
【図６】
2008047125.tif 000008
【図７】
2008047125.tif 000009
【図８】
2008047125.tif 000010